(57)【要約】【課題】設定エリアが近接したり重複している場合にも、スタンプラリー参加者に各施設を確実に巡回してもらえるスタンプラリーシステムを提供する。【解決手段】複数の施設にそれぞれ二次元コード１０を設置し、参加者は携帯端末１１で各二次元コード１０を読み取りスタンプを取得するスタンプラリーシステムである。スタンプラリーサーバ１５には、二次元コードが読み取られたときにその携帯端末１１が取得した位置情報と、その二次元コードに設定された設定位置情報とを照合する位置情報照合手段２１と、これらの位置情報が合致したときにスタンプを発行するスタンプ発行手段２３と、アンケート取得手段２５とが搭載されている。少なくとも複数の二次元コード１０の設置位置情報として広域化された共通の設定位置情報を用いる。【選択図】図２
2020161022.tif 000002
【特許請求の範囲】
【請求項１】
スタンプポイントとなる複数の施設にそれぞれ二次元コードを設置し、参加者が手持ちの携帯端末で各二次元コードを読み取り、スタンプを取得するスタンプラリーシステムであって、
スタンプラリーサーバには、二次元コードが読み取られたときにその携帯端末が取得した位置情報と、その二次元コードに設定された設定位置情報とを照合する位置情報照合手段と、これらの位置情報が合致したときにスタンプ帳をその携帯端末の画面に表示するとともにスタンプを発行するスタンプ発行手段とが搭載されており、
少なくとも複数の二次元コードの設置位置情報として、少なくとも複数の二次元コードの設置位置を含むように広域化された共通の設定位置情報を用いたことを特徴とするスタンプラリーシステム。
【請求項２】
スタンプラリーサーバには、全ての二次元コードの読み取りが完了したことを判断するスタンプ取得確認手段と、スタンプ取得確認手段により全ての読み取りが完了したと判断されたとき、アンケート入力画面をその携帯端末の画面に表示するアンケート取得手段をさらに搭載した請求項１に記載のスタンプラリーシステム。
【請求項３】
スタンプラリーサーバには、最初の二次元コードが読み取られたときにユーザ情報を入力させるユーザ登録手段が搭載されている請求項1または２に記載のスタンプラリーシステム。
【請求項４】
スタンプラリーサーバには、アンケートの回答が完了したときに、その携帯端末の画面に景品交換画面を表示する景品発行手段を搭載した請求項２に記載のスタンプラリーシステム。
【請求項５】
複数の施設が多層階施設である請求項1〜４のいずれかに記載のスタンプラリーシステム。
【発明の詳細な説明】
【技術分野】
【０００１】
本発明は、位置情報を利用したデジタルスタンプラリーに関するものである。特に、多層階施設を利用して実施されるスタンプラリーシステム、例えば大学がオープンキャンパスを開催する際に用いるに適した学生向けスタンプラリーシステムに関するものである。
【背景技術】
【０００２】
携帯端末の位置情報を利用したデジタルスタンプラリーが様々な形態で催されている。例えば、デジタルスタンプラリーの形態の一つとして、大学オープンキャンパスを開催する際に用いる学生向けスタンプラリーシステムがある。
近年、各大学は受験者・入学者が少子化に伴い減少傾向にあるため、大学の宣伝を兼ねてオープンキャンパスを開催している。オープンキャンパスは大学の施設を公開し、関心のある学生やその家族に大学のことを知ってもらうためのイベントである。このため大学内の施設の公開にとどまらず、その大学の入学や進学、就職などに関する様々な情報を提供したり、教員や在校生から直接話を聞ける機会を設けるなどの工夫がなされている。
【０００３】
このオープンキャンパスにより参加者はその大学の施設、雰囲気、実績などを知ることができる。一方、主催する大学側はキャンパスツアーなどにより参加者に大学内のいろいろな施設を巡回してもらうとともに、アンケートを実施して参加者の感想や意見を集約し、今後の大学運営に有用なデータを収集することを意図している。
【０００４】
しかし、現状では、参加者が一部の施設しか見ずに帰ってしまうことも多くあった。またアンケート用紙を用いて回答を集めているため、集計に時間がかかるうえに、入力ミスなどにより正確に情報を取得できないという問題があった。
【０００５】
そこで本発明者は、参加者が複数の施設を確実に巡回して電子的にアンケートに応えてくれるように、デジタルスタンプラリーシステムを利用することに思い至った。デジタルスタンプラリーシステムとしては、特許文献１に示されるように、携帯端末の位置情報を利用し、チェックポイントとして予め設定されたエリアの位置座標と一致するか否かをサーバ側で判断し、全てのチェックポイントを巡回したことをサーバ側で確認すると、景品を提供するシステムが知られている。
【０００６】
この特許文献１のデジタルスタンプラリーシステムは、ＧＰＳによる緯度経度情報を利用しているため、各設定エリアが分散している場合には正確に作動する。ところが、チェックポイントが接近していたり、同じ建物の２階と３階というように、設定エリアが重複することが多くあり、正しい照合が行えないおそれがあった。この問題は、特に大学など、多層階施設を利用して実施する場合に顕著な問題として現れる。例えば、大学オープンキャンパスを開催する際に用いる学生向けスタンプラリーシステムを実施しようとする場合である。
【先行技術文献】
【特許文献】
【０００７】
【特許文献１】特開２００２−１３２６１０号公報
【発明の開示】
【発明が解決しようとする課題】
【０００８】
従って本発明の目的は上記した従来の問題点を解決し、設定エリアが近接したり重複している場合にも、スタンプラリー参加者に各施設を確実に巡回してもらうことができるスタンプラリーシステムを提供することである。
【課題を解決するための手段】
【０００９】
上記の課題を解決するためになされた本発明は、スタンプポイントとなる複数の施設にそれぞれ二次元コードを設置し、参加者が手持ちの携帯端末で各二次元コードを読み取りスタンプを取得する学生向けスタンプラリーシステムであって、スタンプラリーサーバには、二次元コードが読み取られたときにその携帯端末が取得した位置情報と、その二次元コードに設定された設定位置情報とを照合する位置情報照合手段と、これらの位置情報が合致したときにスタンプ帳をその携帯端末の画面に表示するとともにスタンプを発行するスタンプ発行手段とが搭載されており、少なくとも複数の二次元コードの設置位置情報として、少なくとも複数の二次元コードの設置位置を含むように広域化された共通の設定位置情報を用いたことを特徴とするものである。
【００１０】
スタンプラリーサーバには、全ての二次元コードの読み取りが完了したことを判断するスタンプ取得確認手段と、スタンプ取得確認手段により全ての読み取りが完了したと判断されたとき、アンケート入力画面をその携帯端末の画面に表示するアンケート取得手段をさらに搭載しておくことができる。また、スタンプラリーサーバには、最初の二次元コードが読み取られたときに個人情報を入力させるユーザ登録手段が更に搭載されていることが好ましく、またスタンプラリーサーバには、アンケートの回答が完了したときに、その携帯端末の画面に景品交換画面を表示する景品発行手段を更に搭載しておくことが好ましい。本発明のスタンプラリーは、多層階施設を利用して行う場合に適している。
【発明の効果】
【００１１】
本発明のスタンプラリーシステムにおいては、参加者の携帯端末により二次元コードが読み取られたときに、スタンプラリーサーバの位置情報照合手段が、その携帯端末が取得した位置情報と、その二次元コードに設定された設定位置情報とを照合するのであるが、全ての二次元コードの設置位置情報として、全ての二次元コードの設置位置を含むように広域化された共通の設定位置情報を用いる。このため二次元コードの設置位置が近接していたり、同じ建物の２階と３階というように緯度・経度が重複している場合においても、携帯端末が取得した位置情報と、前記共通の設定位置情報とを正しく照合し、スタンプ発行手段がスタンプを発行することができる。
【００１２】
また本発明のスタンプラリーシステムにおいては、全ての二次元コードの読み取りが完了し、スタンプ取得確認手段がスタンプの全取得を認識すると、アンケート取得手段がアンケート入力画面をその携帯端末の画面に表示することができるので、参加した学生は携帯端末の画面から容易にアンケートに答えることができる。各参加者から集められたアンケート結果は電子情報であるから容易に集約することができ、集計に時間がかかることもない。なお、アンケートに回答した参加者は主催者から景品を受け取ることができる。
【図面の簡単な説明】
【００１３】
【図１】本発明の学生向けスタンプラリーシステムの説明図である。
【図２】大学側のサーバの内容を示すブロック図である。
【図３】データベースの詳細図である。
【図４】携帯端末に表示される画面の説明図である。
【発明を実施するための形態】
【００１４】
以下に本発明の実施形態を示す。図１は本発明の学生向けスタンプラリーシステムの説明図であり、大学キャンパス内の複数の施設に二次元コード１０が設置されている。用いられる二次元コード１０は、ＱＲコード（登録商標）と呼ばれているマトリックス型の二次元コードである。
【００１５】
大学は、大学のキャンパス内の複数の施設に、それぞれ二次元コード１０を予め設置しておく。これらの施設は大学がオープンキャンパスの参加者に見てもらいたい施設であり、スタンプポイントとなる。二次元コード１０は施設ごとに異なるものであり、例えば校舎、研究施設、食堂などにそれぞれ異なる二次元コード１０を設置しておく。この実施形態では、参加者に最初にスタンプラリーシステムへのエントリー手続を行ってもらうために、大学キャンパスの入口付近に1番目の二次元コード１０を設置しておく。なお本明細書では図面を簡素化するために４か所に二次元コード１０を設置したが、その数は適宜変更できることはいうまでもない。
【００１６】
図２は、スタンプラリーサーバの構成を示すブロック図、図３はデータベース部の詳細図である。スタンプラリーサーバ１５は、データベース部２０に、開催場所ＩＤ、二次元コードの設置位置を含むように広域化された共通の設定位置情報（スタンプ有効範囲）などの開催場所に関する情報を蓄積する開催場所データベース２９と、スタンプ画像、ＱＲコード各納ＵＲＬなどの情報を蓄積するスタンプラリーデータベース３０と、参加者のアンケート結果をアンケートＩＤと関連付けて蓄積するアンケート質問データベース３１と、ユーザのニックネームや取得したスタンプ状況などユーザＩＤと関連付けて蓄積するユーザ情報データベース３２とを備える。
【００１７】
また、スタンプラリーサーバ１５は、処理部１９に、参加者の携帯端末のＧＰＳより取得され、ユーザ情報データベース３２に蓄積される位置情報と、予め設定される開催場所データベースに蓄積される二次元コードの設置位置を含むように広域化された共通の設定位置情報（スタンプ有効範囲）とを照合する位置情報照合手段２１と、ユーザ登録の為の新規登録画面をその携帯端末１１の画面に表示させるユーザ登録手段２２と、参加者の携帯端末からのアクセスにより、スタンプラリーデータベース２０からスタンプ画像を含むコンテンツを取得し、参加者の携帯端末画面に表示させるスタンプ発行手段２３と、取得すべきスタンプが全てユーザ情報データに蓄積されたことを判断するスタンプ取得確認手段２４と、スタンプ取得確認手段２４からの命令により参加者の携帯端末にアンケート画面を表示させるアンケート取得手段２５と、参加者がアンケートに回答しスタンプラリーサーバ１５に送信すると、景品交換用画面を携帯端末に表示させる景品発行手段２６と、取得すべきスタンプが全てユーザ情報データに蓄積されたと判断すると、アンケート質問データベースに蓄積されたアンケートの回答を集計・解析するアンケート集計手段２７と、ユーザ登録の際、参加者が入力したユーザ情報をユーザ情報データベース３２に蓄積するユーザ情報収集手段２８を備えている。
【００１８】
スタンプラリーの開催が決定したら、主催者は、広域化された共通の位置情報の設定や、スタンプ画像、ＱＲコード格納ＵＲＬなどのスタンプラリー情報を決定し、データベース部２０に情報を蓄積する。次いでアンケートの項目などを決定し、前記アンケート質問データベース３１を構築する。
【００１９】
オープンキャンパスに参加する学生や家族は、先ず手持ちのスマートフォン等の携帯端末１１に搭載されているコード読み取りソフトを起動し、大学キャンパスの入口付近に設置された1番目の二次元コード１０を読み取る。図２に示されるように、スタンプラリーサーバ１５にはスタンプラリーシステムがインストールされており、１番目の二次元コード１０を読み込んだ携帯端末１１は、読み込んだ二次元コードに付与されたｗｅｂページの呼び出しを行うため、このサーバ１５にアクセスし、両者間に通信回線が形成される。なお、携帯端末１１側にはコード読み取りソフトがあればよく、その他の特別なソフトをインストールしておく必要はないので、だれでも気軽に参加することができる。
【００２０】
図２に示されるように、スタンプラリーサーバ１５には位置情報照合手段２１、ユーザ登録手段２２が搭載されている。位置情報照合手段２１は、１番目の二次元コード１０を読み取った携帯端末１１が取得した位置情報、すなわちその携帯端末１１の現在位置を示す緯度経度情報を取得し、１番目の二次元コード１０に設定された設定位置情報と照合する。位置情報が合致すればその携帯端末１１が１番目の二次元コード１０を設置した位置にあると認識することができる。しかし照合の結果、双方の位置情報が合致しない場合には、１番目の二次元コード１０がコピーされて本来とは別の場所で読み取りが行われた可能性があると認識し、エラー信号をその携帯端末１１に送信し、再度、１番目の二次元コード１０を読み取るように促す。
【００２１】
双方の位置情報が合致すると、スタンプラリーサーバ１５のユーザ登録手段２２が図３に示すユーザ登録画面４１をその携帯端末１１の画面に表示させ、参加者の氏名その他の簡単なユーザ情報の入力を求める。入力を完了すると携帯端末１１にスタート画面４２が表示される。入力されたユーザ情報はスタンプラリーサーバ１５のユーザ情報収集手段２８が取得し、ユーザ情報データベース３２などに保存する。参加者がスタート画面４２の参加ボタンにタッチすると、スタンプ発行手段２３により、携帯端末１１にスタンプ帳の画面４３が表示される。この例では4つのポイントのスタンプ帳が表示されているが、１番目のスタンプポイントには発行された「ＯＫ」のスタンプが表示されている。
なお、ユーザ登録画面４１は、必ずしも前記位置情報の照合を条件として表示させなくてもよく、設定した位置エリア外にユーザ登録画面を表示させるための二次元コードを別途設置しておいても良い。
【００２２】
その後、参加者は指定されたスタンプポイントとなる施設に移動し、２番目の二次元コード１０を読み取る。前記したように、従来のデジタルスタンプラリーではスタンプポイントは広く分散しているのが普通であるから、それぞれのスタンプポイントの位置情報をそのまま設定しておけばよい。しかし本発明の学生向けスタンプラリーにおいては、各二次元コード１０の設置位置が近接したり、重複したりすることがある。このため従来のように、チェックポイント毎での位置情報の照合を行うデジタルスタンプラリーシステムを採用すると、位置情報照合手段２１が誤動作するおそれがある。
【００２３】
そこで本発明では、全ての二次元コード１０の設置位置情報として、全ての二次元コードの設置位置を含むように広域化された共通の設定位置情報を用いる。即ち、全ての二次元コード１０に共通の設定位置情報を設定しておく。そして、携帯端末１１が２番目の二次元コード１０を読み取り、位置情報照合手段２１が携帯端末１１が取得した位置情報と、２番目の二次元コード１０に設定された設定位置情報と照合するとき、携帯端末１１が取得した位置情報が広域化された共通の設定位置情報と合致するか否かを照合する。換言すれば、２番目の二次元コード１０の位置が大学のキャンパス内であるか否かを照合する。位置情報が合致すればその携帯端末１１が２番目の二次元コード１０を設置した位置にあると認識し、スタンプ発行手段２３が２番目のスタンプを発行する。スタンプが発行されると、スタンプ帳に「ＯＫ」として表示される。
【００２４】
以下同様に、３番目と４番目の二次元コード１０が読み取られ、３番目と４番目のスタンプが発行される。しかし照合の結果、携帯端末１１が取得した位置情報と広域化された共通の設定位置情報と合致しない場合には、コピーされた二次元コード１０が別の場所で読み取られた可能性があると認識し、エラー信号をその携帯端末１１に送信する。このように本発明では全ての二次元コード１０の設置位置情報を広域化したので、二次元コード１０の設置位置が近接していたり、同じ建物の2階と3階というように重複している場合にも、誤動作が発生することがない。
【００２５】
なお、上記の説明では入口付近に設置された１番目のチェックポイントからスタンプラリーを開始することとしたが、初回チェックポイントにて携帯端末１１がスタンプラリーサーバ１５からクッキー(cookie)を取得し、次のチェックポイントからは前記クッキーの照合によって、ユーザ登録画面をスキップするような設定とすることもできる。これによって参加者は初めに巡回するチェックポイントを任意に選ぶことが可能となり、より柔軟に、巡回コースを選択することができる。なお、初回の登録画面をスキップする手段は、クッキーの取得・照合による手段に限定されるものではない。
【００２６】
本実施形態においては、全ての二次元コードの設置位置を含むように共通の設定位置情報を広域化して実施したが、共通の設定位置情報の設定は、全ての二次元コードの設定位置を含む必要はなく、近接する設置位置や、２階３階で重複する設置位置のみを含むよう設定しても良い。また、本実施例では、前記二次元コードの設置位置を含むように広域化された共通の設定位置情報と、携帯電話が取得した位置情報との照合を、各チェックポイントで行っているが、必ずしも全てのチェックポイントで前記照合を行う必要性はない。さらに、本発明において、参加者は、決められた場所からスタンプラリーを開始させる必要はなく、設置されるいずれのチェックポイントからも、スタンプラリーをスタートさせても良い。
【００２７】
図３の画面４４に示すように全てのスタンプが発行されたときには、携帯端末１１の画面に図３に示すコンプリート画面４４が表示される。コンプリート画面には、アンケート入力のアイコンが表示されており、参加者がアンケート入力アイコンにタッチすると、アンケート取得手段２５が、携帯端末１１の画面にアンケート画面３５を表示する。参加者がアンケートに回答しスタンプラリーサーバ１５に送信すると、景品発行手段２６が景品交換用画面３６を携帯端末１１に表示し、参加者は所定の場所で景品を受け取って帰宅することができる。
【００２８】
サーバ１５に送信され、アンケート質問データベース３３に蓄積されたアンケートの回答は、アンケート集計手段２７が集計・解析する。大学側は得られたアンケートの結果を今後の運営に生かすことができる。従来のアンケート用紙を用いた回答ではないため、集計の簡略化を図ることができるとともに、自動集計も可能となる。
【００２９】
また、オープンキャンパスに参加した学生の氏名その他の個人情報も収集することができるので、その後に受験を促すなどの対応が可能となる。
【００３０】
以上に説明したように、本発明のスタンプラリーシステムを用いれば、設定エリアが近接したり重複している場合にも、スタンプラリー参加者に各施設を確実に巡回してもらえる利点がある。本発明は、特に多層階施設を利用して実施されるスタンプラリーシステム、例えば、大学オープンキャンパスを開催する際に用いる学生向けスタンプラリーシステムに適している。
【符号の説明】
【００３１】
１０  二次元コード
１１  携帯端末
１５  スタンプラリーサーバ
１９  処理部
２０  データベース部
２１  位置情報照合手段
２２  ユーザ登録手段
２３  スタンプ発行手段
２４  スタンプ取得手段
２５  アンケート取得手段
２６  景品発行手段
２７  アンケート集計手段
２８  個人情報収集手段
２９  開催場所データベース
３０  スタンプラリーデータベース
３１  アンケート質問データベース
３２  ユーザ情報データベース
４１  ユーザ登録画面
４２  スタート画面
４３  スタンプ帳の画面
４４  コンプリート画面
４５  アンケート画面
４６  景品交換用画面
【図１】
2020161022.tif 000003
【図２】
2020161022.tif 000004
【図３】
2020161022.tif 000005
【図４】
2020161022.tif 000006